(57)【要約】【課題】  外出時にもペットと一緒に安全に行動することができるようなペット用キャリーバッグを提供することである。【解決手段】  ペットの胴体を包み込むようにして覆うための布製の本体（１２）を備え、本体には、ペットの四肢を突出させる開口部（１２ａ）、ペットの胴体を包み込んで本体を筒状に固定するための固定用紐（１４）、及び、持ち手（１６）が設けられており、開口部からペットの四肢を突出させるようにしてペットを前記本体で包み込み、固定用紐を用いて本体を筒状に固定し、持ち手を持ってペットを運ぶことができるように構成されていることを特徴とするペット用キャリーバッグ（１０）が提供される。【選択図】  図１
0003135613.tif 000002
【実用新案登録請求の範囲】
【請求項１】
ペットの胴体を包み込むようにして覆うための布製の本体を備え、
前記本体には、ペットの四肢を突出させる開口部、ペットの胴体を包み込んで本体を筒状に固定するための固定用紐、及び、持ち手が設けられており、
前記開口部からペットの四肢を突出させるようにしてペットを前記本体で包み込み、前記固定用紐を用いて前記本体を筒状に固定し、前記持ち手を持ってペットを運ぶことができるように構成されていることを特徴とするペット用キャリーバッグ。
【請求項２】
吊り下げ用ストラップを更に備え、
前記ストラップの両端に取り付けられたリングを、前記本体の適所に取り付けられたリングに引っ掛けることにより、前記ストラップを肩に掛け、前記本体を首から吊り下げ、或いは前記ストラップをたすき掛けにしてペットを運ぶことができるように構成されていることを特徴とする請求項１に記載のペット用キャリーバッグ。
【考案の詳細な説明】
【技術分野】
【０００１】
本考案は一般に、ペット用キャリーバッグに関する。より詳細には、本考案は、外出時にペットと一緒に安全に行動することを可能にするペット用キャリーバッグに関する。
【背景技術】
【０００２】
家庭で飼われているペットは、飼い主にとって家族の一員のような存在であり、ペットを連れて外出するケースも数多く見られる。
【考案の開示】
【考案が解決しようとする課題】
【０００３】
しかしながら、従来、ペットを連れてショッピング等をする際、ペットを買物かごに入れたり、腕で抱えたりして移動するのが通常であるが、飼い主が目を離した隙にペットが逃げ出すことがあった。また、障害をもつペットの場合には、外出時に連れて歩くのも容易ではなかった。さらに、デパートや、スーパーマーケット、コンビニエンスストア等でショッピングをする際には、原則的にペットを店内に入れることはできず、店外に繋ぐ等していた。
【０００４】
本考案は、このような事情を考慮して案出されたものであって、外出時にもペットと一緒に安全に行動することができるようなペット用キャリーバッグを提供することを目的としている。
【課題を解決するための手段】
【０００５】
本願請求項１に記載のペット用キャリーバッグは、ペットの胴体を包み込むようにして覆うための布製の本体を備え、前記本体には、ペットの四肢を突出させる開口部、ペットの胴体を包み込んで本体を筒状に固定するための固定用紐、及び、持ち手が設けられており、前記開口部からペットの四肢を突出させるようにしてペットを前記本体で包み込み、前記固定用紐を用いて前記本体を筒状に固定し、前記持ち手を持ってペットを運ぶことができるように構成されていることを特徴とするものである。
【０００６】
本願請求項２に記載のペット用キャリーバッグは、前記請求項１のキャリーバッグにおいて、吊り下げ用ストラップを更に備え、前記ストラップの両端に取り付けられたリングを、前記本体の適所に取り付けられたリングに引っ掛けることにより、前記ストラップを肩に掛け、前記本体を首から吊り下げ、或いは前記ストラップをたすき掛けにしてペットを運ぶことができるように構成されていることを特徴とするものである。
【考案の効果】
【０００７】
本考案のペット用キャリーバッグによれば、外出時にもペットと一緒に安全に行動することができるので、飼い主とペットの双方に安心感をもたらすことができる。また、所望の布地を用いたり、所望の図柄や色彩を施すことにより、おしゃれなフィーリングを醸しだすこともできる。
【考案を実施するための最良の形態】
【０００８】
次に添付図面を参照して、犬に使用する場合を例にとり、本考案の好ましい実施の形態に係るペット用キャリーバッグについて詳細に説明する。図１は、本考案の好ましい実施の形態に係るペット用キャリーバッグを展開した状態で示した模式図である。図１において全体として参照符号１０で示される本考案の好ましい実施の形態に係るペット用キャリーバッグは、所望の布で形成された本体１２を備えている。
【０００９】
本体１２は、対象とする犬の胴体を包み込むように覆うことができる程の大きさを少なくとも有している。本体１２には、犬の四肢を突出させることができるような開口部１２ａが設けられている。また、好ましくは、犬の胴体を覆ったときに犬の首が位置する箇所に、丸みを帯びた湾曲部１２ｂが設けられている。
【００１０】
本体１２の一方の縁部には、犬の胴体を包み込んで本体１２を筒状に固定するための２本の固定用紐１４が取り付けられている。好ましくは、固定用紐１４の先端には、面状ファスナ１４ａが配置されており、本体１２の他方の縁部の近傍に配置された面状ファスナ１４ｂに面状ファスナ１４ａを合わせることにより、本体１２を筒状に固定することができるようになっている。
【００１１】
また、本体１２の両方の縁部には、持ち手１６がそれぞれ取り付けられており、一方の持ち手１６のほぼ中央には、両方の持ち手１６を一纏めにするための面状ファスナ付き結合体１６ａが配置されている。
【００１２】
好ましくは、ペット用キャリーバッグ１０は又、吊り下げ用ストラップ１８を備えている（図２参照）。ストラップ１８の両端には、リング１８ａが取り付けられており、ストラップ１８のリング１８ａを、本体１２のリング１２ｃに引っ掛けることにより、肩掛けしたり、首から吊り下げたり、或いは２本のストラップ１８をたすき掛けにして支持したりすることができるようになっている。
【００１３】
以上のように構成されたペット用キャリーバッグ１０の使用について説明する。まず、四肢が開口部１２ａから突出するようにして、犬を本体１２で包み込み、固定用紐１４の先端の面状ファスナ１４ａを本体１２の面状ファスナ１４ｂに合わせることにより、本体１２を筒状に固定する。この状態で、持ち手１６をもってペットを運ぶ（図３参照）。或いは、１本又は２本のストラップ１８のリング１８ａを本体１２のリング１２ｃに引っ掛けることにより、ペット用キャリーバッグ１０を肩に掛けたり（図４参照）、ペット用キャリーバッグ１０を首から吊り下げたり（図５参照）、或いはたすき掛けにしたストラップ１８でペット用キャリーバッグ１０を支持したり（図６参照）して、ペットを運んでもよい。
【００１４】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１５】
例えば、前記実施の形態では、犬に用いる場合を例にして、ペット用キャリーバッグ１０について説明したが、例えばリス等の他の小動物の移動用として使用してもよい。また、本体１２においてペットの腹部が当たる箇所にクッション材等を配置して、ペットの負担を軽減するように配慮するのが好ましい。
【図面の簡単な説明】
【００１６】
【図１】本考案の好ましい実施の形態に係るペット用キャリーバッグの展開状態を示した模式図である。
【図２】吊り下げ用ストラップを示した模式図である。
【図３】図１のペット用キャリーバッグを犬に装着した状態を示した図である。
【図４】ストラップを用いて図１のペット用キャリーバッグを使用している状態を示した図である。
【図５】ストラップを用いて図１のペット用キャリーバッグを使用している状態を示した別の図である。
【図６】ストラップを用いて図１のペット用キャリーバッグを使用している状態を示した更に別の図である。
【符号の説明】
【００１７】
１０  ペット用キャリーバッグ
１２  本体
１２ａ  開口部
１２ｂ  湾曲部
１２ｃ  リング
１４  固定用紐
１４ａ、１４ｂ  面状ファスナ
１６  持ち手
１６ａ  面状ファスナ付き結合体
１８  ストラップ
１８ａ  リング
【図１】
0003135613.tif 000003
【図２】
0003135613.tif 000004
【図３】
0003135613.tif 000005
【図４】
0003135613.tif 000006
【図５】
0003135613.tif 000007
【図６】
0003135613.tif 000008